(57)【特許請求の範囲】
【請求項１】
固定ケース１０に蓋ケース５０を着脱自在に組み付けてケーブル配索孔１１，１２が形成された収納ケースを構成し、該ケーブル配索孔１１，１２から光ファイバ心線とテンションメンバを有する光ケーブルを収納ケース内に導入し、該光ケーブルのテンションメンバを固定ケース１０に備えた保持部１３に止着して収納ケース内で光ファイバ心線を接続する光ケーブル接続用収納ケースにおいて、
前記保持部１３に止着孔１６および該止着孔１６に連通する差込スリット１９を形成し、該差込スリット１９に接続する差込孔１７があり、蓋ケース５０に係合される把持レバー９のある止着部材１４を前記止着孔１６に回動自在に嵌装させ、該止着部材１４で差込スリット１９と差込孔７に挿通したテンションメンバを止着するようにし、さらに、前記ケーブル配索孔１１，１２に連らなり前記保持部１３に対設される配索溝１５に挿入されるケーブルを係止し蓋ケース５０に係合されるケーブル把持具１７を前記配索溝１５に着脱自在に止着すると共に、光ファイバ心線を巻き付ける心線巻回部３１と、心線接続用のコネクタ収納部３２とを備えた心線収納部３０を前記固定ケース１０に着脱自在に配備したことを特徴とする光ケーブル接続用収納ケース。
【請求項２】
前記ケーブル把持具１７が、合成樹脂からなる断面エ字形状部材で両側のガイド溝１８により前記配索溝１５に嵌入されるものであって、配索溝１５を形成する壁面に備えた係止部２０に係止される爪部２１と、ケーブルを押圧する当接凸部２２とを備えた請求項１記載の光ケーブル接続用収納ケース。
【請求項３】
前記心線収納部３０が、周囲及び中央部位に環状壁を立設し、固定ケース１０に対応した嵌合係止部３４，３５で嵌着できるケースであって、心線巻回部３１と、ＳＣコネクタ、単心ＭＴコネクタ、或いはメカニカルスプライスの単独または組合せを収容できるコネクタ保持部３２とを形成した請求項１または２記載の光ケーブル接続用収納ケース。
【請求項４】
前記固定ケース１０が、テンションメンバを止着する差込スリット１９と連通した止着孔１６のある保持部１３を配索溝１５に対向配備し、該配索溝１５に臨む保持部１３の外周壁面にそれぞれインドアケーブルＩをインドアケーブル把持具１７で挾持できる構成とした請求項１，２または３記載の光ケーブル接続用収納ケース。
【発明の詳細な説明】
【０００１】
【発明の属する技術分野】
本発明は、テンションメンバと光ファイバ心線を有する光ケーブルの接続に用いる光ケーブル接続用収納ケース、詳しくは、ケース本体にテンションメンバを含む光ケーブルやテンションメンバのないインドアケーブル、エアブロンケーブルなどの各ケーブルを止着状態に保持するようにした光ケーブル接続用収納ケースに関する。
【０００２】
【従来の技術】
光ファイバ心線とテンションメンバを有する光ケーブルの接続に際しては、テンションメンバを止着することが不可欠である。このため、従来では、光ケーブル接続用収納ケースにねじ穴を形成し、このねじ穴に螺合するねじ部材にテンションメンバの端部を巻き付けて工具を用いて止着することが行われていた。
【０００３】
【発明が解決しようとする課題】
しかしながら、従来の光ケーブル接続用収納ケースにあっては、ねじ部材が経時的な緩みを生じやすく、テンションメンバやケーブルが外れるおそれがあるという問題があった。この問題は、ロックナット等の部材を設けること、あるいは、ねじ部材の再締め付けを定期的に行うことで解決できると考えられるが、前者にあっては構造が複雑化するのみならずテンションメンバやケーブルの止着作業が煩雑化するという新たな問題を生じ、また、後者にあっては光ケーブル接続用収納ケースの厖大な量の点検工数が必要になるという新たな問題を生じる。
本発明は、従来の欠点を排除しようとするもので、光ケーブル、テンションメンバやインドアケーブル、エアブロンケーブルなどを経時的な緩みを生じることなく止着でき、また、止着作業も容易に行うことができ各ケーブルの併用で取扱い容易な光ケーブル接続用収納ケースを提供することを目的とする。
【０００４】
【課題を解決するための手段】
本発明は、固定ケースに蓋ケースを着脱自在に組み付けてケーブル配索孔が形成された収納ケースを構成し、該ケーブル配索孔から光ファイバ心線とテンションメンバを有する複数の光ケーブルを収納ケース内に導入し、該光ケーブルのテンションメンバを前記固定ケースに備えた保持部に止着して収納ケース内で前記光ファイバ心線を接続する光ケーブル接続用収納ケースにおいて、前記保持部に止着孔および該止着孔に連通する差込スリットを形成し、該差込スリットに接続する差込孔があり、蓋ケースに係合される把持レバーのある止着部材を前記止着孔に回動自在に嵌装させ、該止着部材で差込スリットと差込孔に挿通したテンションメンバを止着するようにし、さらに、前記ケーブル配索孔に連らなり前記保持部に対設される配索溝に挿入されるケーブルを係止するケーブル把持具を前記配索溝に着脱自在に止着すると共に、光ファイバ心線を巻き付ける心線巻回部と、心線接続用のコネクタ収納部とを備えた心線収納部を前記固定ケースに着脱自在に配備したものである。
【０００５】
【発明の実施の形態】
この発明にかかる光ケーブル接続用収納ケースは、固定ケースに備えたテンションメンバ保持部の止着孔に止着部材を挿通して止着部材の差込孔と差込スリットとを連続させ、これら連続した差込孔と差込スリットに光ケーブルのテンションメンバを挿通し、止着部材を操作部の把持レバーによる操作で止着位置まで回動させると、テンションメンバが止着孔と止着部材との間に挟持・止着される。そして、光ケーブルはコネクタで接続して余長心線は心線収納部に巻き取りかつコネクタを保持した心線収納部を固定ケース内に嵌着する。この場合、固定ケースにはＳＣコネクタ、単心ＭＴコネクタ、或いはメカニカルスプライスの単独または組合せで収容できるコネクタ収納部のある心線収納部を選んで嵌着する。インドアケーブルの場合には、保持部に対設された配索溝にケーブルを通しケーブル把持具を嵌入するだけの簡易操作で止着しワンタッチ式でケーブル把持ができる。この後に、蓋ケースを組み付けると、ケースに形成された保持部が止着部材の操作レバーおよびケーブル把持具に係合し、止着部材の回動を禁止、すなわち、止着部材がテンションメンバを止着した位置に保持されるし、ケーブル把持具の抜けも防止され、このため、テンションメンバやインドアケーブルの止着が外れることが確実に防止できる。
また、固定ケース内部にＳＣコネクタやメカニカルスプライスなどがない場合には、心線収納部を固定ケースから外してエアブロンパイプを用いて固定ケース内に弯曲或いは巻き回して収納し、エアブロンパイプに設けたストッパを配索孔に当接定着し、蓋ケースを組み付けエアブロンケーブルが外れることなく確実に収納することができる。
【０００６】
【実施の形態】
以下、この発明の実施例を図１乃至図１３を参照して説明すると、図１３に示すように、幹線光ケーブルＡに設けられた架空クロージャＢから分岐した分岐光ケーブルＣが本発明にかかる光ケーブル接続用収納ケース１に導入され、この光ケーブル接続用収納ケース１から建物Ｄ内に向けて引込光ケーブルＥが分岐配索される。前記光ケーブル接続用収納ケース１は光コンセントとして用いることも可能であり、光コンセントとして用いた場合は壁埋め込み式、あるいは、壁外付け式のいずれの形式に構成することも可能であるが図示例では建物Ｄ内に設置された光コンセントＦを介して建物Ｄ内に配索されたターミネーションケーブルＧでＯＮＵ２に接続して用いられるものである。
【０００７】
光ケーブル接続用収納ケース１（以下、単に収納ケースと称する）は、図１乃至図５に示す如く建物Ｄの外壁面に取り付けられる固定ケース１０と、この固定ケース１０を被蓋する蓋ケース５０を有し、これらが組み付けられてケース本体を構成する。固定ケース１０は、樹脂の射出成形等により成形され、ケーブル導入用の配索孔１１，１２が形成され、該ケーブル配索孔１１，１２から光ファイバ心線とテンションメンバを有する光ケーブルを導入し、該光ケーブルのテンションメンバを前記ケース本体に止着する保持部１３を固定ケース１０に備え、この保持部１３としては、止着孔１６および該止着孔１６の周面に開口する差込スリット１９を形成するとともに、該差込スリット１９に接続する差込孔７のある止着部材１４を、前記止着孔１６に回動自在に嵌装したものからなる。この止着部材１４は、ロック用凸凹部９１  のある把持レバー９が一端にあり、中間部８に径方向に貫通する差込孔７が形成された止着部材１４を用い、前記テンションメンバを前記差込スリット１９および前記止着孔１６を介して止着部材１４の差込孔７に挿通し、該止着部材１４を回動させて止着するようにしてある。
【０００８】
そして前記ケーブル配索孔１１，１２に連らなり、前記保持部１３に対設される配索溝１５と、該配索溝１５に着脱自在に止着され、ケーブルを係止するケーブル把持具１７とで、配索溝１５内に挿入されるケーブルを固着するように構成されている。このテンションメンバを止着する止着孔１６のある保持部１３は、配索溝１５に対向配備し、該配索溝１５に臨む保持部１３の外周壁面にケーブルをケーブル把持具１７で挾持できる構成とするのがよい。
【０００９】
前記ケーブル把持具１７としては、ポリプロピレン樹脂などの合成樹脂からなる断面エ字形状部材で両側のガイド溝１８，１８により前記配索溝１５に嵌入されるものであって、配索溝１５を形成する壁面に備えた係止部２０に係止される爪部２１と、ケーブルを押圧する当接凸部２２，２２とを備えたものを用い、工具なしでワンタッチでケーブル止着できるようにしてあり、蓋ケース５０を組込んだ際に蓋ケース５０に設けた当部材が接触して脱抜防止機構となるように配慮されている。（図１及び図２）
【００１０】
また、前記固定ケース１０には、心線巻回部３１とコネクタ収納部３２が区画された心線収納部３０が着脱自在に嵌装されるが、心線巻回部３１はケーブルを巻き取る環状壁及び押え片３３とからなり心線接続用のＳＣコネクタを収納するコネクタ収納部３２を両サイドに備え、さらに仕切壁４０で区画した単心ＭＴコネクタ収納部３６を設けた心線収納部３０としてあって、固定ケース１０の側壁と心線収納部壁に対応形成した嵌合係止部３４，３５で嵌着できるようにしてある。（図３及び図４）
この場合、前記心線収納部３０は周囲及び中央に環状壁を底面板に立設したケースであって、ＳＣコネクタ、単心ＭＴコネクタ或いはメカニカルスプライスの単独または組合せを収容できるコネクタ保持部を形成したものを選んで用いられる。例えば、この実施例では、ＳＣコネクタ２個と、単心ＭＴコネクタ４個を収納（単心ＭＴコネクタは各２個を左右に分け、かつ２段に積み重ねて収納）するタイプとしてあるが、ＳＣコネクタ２個または単心ＭＴコネクタ２個若しくはメカニカルスプライス２個）を各々単独で収納できるコネクタ保持部のものを用いることもできる。
【００１１】
なお、コネクタ収納部３２は両側に設け、仕切壁４０を介して、単心ＭＴコネクタ収納部３６を隣設し、さらに内側に心線巻回部３１が形成されるようになっていて、底面板にはコネクタ突出用孔４１，４２をそれぞれ設けて突き棒などを挿入してコネクタを取り出しやすいようにしてある。（図５及び図６）
【００１２】
図７乃至図９に詳示するように、前記止着部材１４は止着孔１６に回動自在に嵌装され、この止着孔１６には、表側開口部分の上下に条溝状の差込スリット１９が開口する。差込スリット１９は、止着孔１６に連続し、この部分に嵌合される止着部材１４の中間部８の差込孔７に接続開口し、この差込スリット１９及び差込孔７には光ケーブルのテンションメンバが差し込まれる。
【００１３】
前記配索溝１５は、表面側が開口する所定深さの溝であって、ケーブル導入用のケーブル配索孔１１，１２に連通して上下に縦断する。この配索溝１５には光ケーブル或いはインドアケーブルのいずれかが配索され、光ケーブルは光ファイバ心線が配索溝１５を経て切欠３７から心線巻回部３１及びコネクタ収納部３２に導かれ、また、テンションメンバが配索溝１５から差込スリット１９に差し込まれて保持部１３の止着孔１６内で止着部材１４によって止着される。また、インドアケーブルＩの場合は、配索溝１５から挿入して保持部１３の外周にケーブル把持具１７で押しつけ挾持すればよい。（図７）
【００１４】
また、前記固定ケース１０には、蓋ケース５０が取り付けられる嵌合係止部３４が突設され、これに嵌合する嵌合孔の係止部３５が蓋ケース５０側に備えられると共に、前記把持レバー９及びケーブル把持具１７に当接する当部または引掛部を蓋ケース５０に設けてロック機能をはたすようにするのがよい。
【００１５】
なお、前記心線収納部３０は、ケーブル心線を巻き取る心線巻回部３１を中央部分に区画し、左右両側にそれぞれコネクタ収容部３２を区画する複数の突起が突設される。心線巻回部３１にはそれぞれ先端部にケーブル導入部に向かって放射状に延出する心線押え片３３が一体形成される。これら心線押え片３３は心線巻回部３１の廻りに巻回された光ファイバ心線を抑えて保持する。コネクタ収容部３２にはＳＣコネクタ３が収容され、このＳＣコネクタ３により光ファイバ心線が接続される。
【００１６】
なお、２５は固定ケース１０に形成された取付孔であり、固定ケース１０は取付孔２５を貫通するねじやビスにより建物Ｄの外壁に固定される。
【００１７】
前記止着部材１４は、図９に示すように、両端に大径部６，６を、これら大径部６，６間に小径の中間部８を有するロッド状部材から構成され、前述した止着孔１６に大径部６の端面を表側に臨ませて回動自在に挿通される。この止着部材１４には、大径部６の一端面に操作用の把持レバー９が形成され、また、中間部８に周面に開口する差込孔７が形成されている。この止着部材１４は、差込孔７が差込スリット１９と連続した接続状態として、テンションメンバの端部が差込孔７に差し込まれ、この状態から把持レバー９により回動されてロック用凸凹部９１  ，９２  に係合されて（以下、止着位置と称する）テンションメンバを止着保持する。
【００１８】
この実施の形態にかかる光ケーブル接続用収納ケース１にあっては、分岐光ケーブルＣと引込光ケーブルＥの接続に際しては、先ず、固定ケース１０を建物Ｄの外壁面にビス等を用いて固定し、分岐光ケーブルＣと引込光ケーブルＥをそれぞれ配索溝１５に、例えば、分岐光ケーブルＣを一方の配索孔１１にまた引込光ケーブルＥを他方の配索孔１２に通す。そして、各光ケーブルの光ファイバ心線はケーブル巻回・接続部に導いてコネクタ３により接続し、その余長部分を心線収納部３０に巻き取って保持する。
【００１９】
また、各光ケーブルのテンションメンバは、差込スリット１９を経て止着孔１６に導いて止着部材１４により止着する。すなわち、先ず、止着部材１４を差込孔７が差込スリット１９と連続する位置に位置させた後、テンションメンバの端部を差込スリット１９から差込孔７に挿通する。次いで、止着部材１４の把持レバー９により回動して、テンションメンバの端部を止着部材１４と止着孔１６の内周面との間に挟着保持する。また、ケーブルは配索溝１５から挿入して配索溝１５にケーブル把持具１７を嵌め込んで押圧して保持部１３に挾持する。
【００２０】
この後、固定ケース１０の心線収納部３０を蓋ケース５０により被蓋して蓋ケース５０を固定ケース１０に取り付ける。ここで、蓋ケース５０は内面の保持突起などの当片が、固定ケース１０の止着部材１４及びケーブル把持具１７に当接してロックされ移動を禁止する。したがって、止着部材１４及びケーブル把持具１７により止着されたテンションメンバ並びにケーブルは緩みを生じることを防止できる。
この実施の形態は、止着部材１４の大径部６に径方向に延出する把持レバー９を手動操作可能に一体形成する。そして、固定ケース１０には止着部材１４の止着位置で把持レバー９を収容する凹部等のレバー収容部が形成され、また、蓋ケース５０の内面には被蓋状態でレバー収容部に位置する把持レバー９を押圧保持あるいは嵌着保持する保持部が形成され、ドライバ等の工具を用いることなく把持レバー９の手動操作で行えるため、ケーブル接続作業が容易である。
また、上述した各実施の形態では、蓋ケース５０を固定ケース１０に取り付けることで止着部材１４の廻り止めと押さえ（浮き上がりの防止）を行うが、蓋ケース５０によって浮き上がりの防止のみを行わせることも可能である。そして、この場合には、止着部材１４の端部に四角形等の異形断面の廻り止め部を形成するとともに、固定ケース１０の止着孔１６底面に廻り止め部が嵌合可能な同一形状の廻り止め穴を形成し、止着部材１４の廻り止め部を廻り止め穴と位相が異なる状態で挿入して廻り止め部の端面が廻り止め穴の開口縁部に乗り上げた状態でテンションメンバを差込孔７に差し込んだ後、止着部材１４を所定の角度だけ回動させて廻り止め部を廻り止め穴に嵌合させ、取り付けた蓋ケース５０の内面で止着部材１４の浮き上がりを防止するように構成することもできる。
【００２１】
図１０乃至図１２の具体例では、心線収納部３０がＳＣコネクタ３を収容できるコネクタ収納部３２を形成したものを固定ケース１０に着脱自在に備えたもので、心線接続部の必要のある場合にこの心線収納部３０を定着して用い、ＳＣコネクタ或いはメカニカルスプライスなど接続部材がない場合には、固定ケース１０から心線収納部３０を取り外して用いる。（図１１参照）
【００２２】
即ち、エアブロンケーブルＪを用いる際にエアブロンパイプ３８を使用して固定ケース内部に巻回、或いはＵ字状に旋回させてブロンパイプストッパ４３でパイプをケーブル配索孔１１，１２に固定し、蓋ケース５０を組み付けてエアブロンケーブルＪが外れないように有効に収納保持して使用できる。
なお、前記心線収納部３０はＳＣコネクタ３に限らず、各種のコネクタを収納保持できるタイプのものに代替えして兼用できる。
【００２３】
【発明の効果】
本発明は光ケーブルのテンションメンバを固定ケースに備えた保持部に止着して収納ケース内で光ファイバ心線を接続する光ケーブル接続用収納ケースにおいて、前記保持部に止着孔および該止着孔に連通する差込スリットを形成し、該差込スリットに接続する差込孔があり、蓋ケースに係合される把持レバーのある止着部材を前記止着孔に回動自在に嵌装させ、該止着部材で差込スリットと差込孔に挿通したテンションメンバを止着するようにし、さらに、前記ケーブル配索孔に連らなり前記保持部に対設される配索溝に挿入されるケーブルを係止し、蓋ケースに係合されるケーブル把持具を前記配索溝に着脱自在に止着すると共に、光ファイバ心線を巻き付ける心線巻回部と、心線接続用のコネクタ収納部とを備えた心線収納部を前記固定ケースに着脱自在に配備したことにより、テンションメンバを差込スリットから差込孔に挿通し止着部材の把持レバーにより操作して止着部材により挾着保持し、またケーブルも配索溝からケーブル把持具を嵌め込んで挟持し固定ケースの心線収納部を蓋ケースにより被蓋して取り付ければ蓋ケースで止着部材並びにケーブル把持部の動きを押え、止着されたテンションメンバ並びにケーブルの緩みをなくしロック機能をはたすので各種のケーブルを止着状態に兼用保持でき、その止着作業も固定ケースに蓋ケースを組み込んだ際に工具レスの容易な作業で止着できると共に、テンションメンバおよびインドアケーブルやエアブロンケーブルもワンタッチで容易に作業でき、ケーブル接続作業の作業性を大巾に向上でき、心線接続後にコネクタプラグとアダプタとの接続が可能であって接続部材の固定も一元的収納部に集約して収納も簡単で安全確実なケーブル把持が可能で構成も簡単で安価な形態であり、かつテンションメンバ或いはインドアケーブルなどを確実に止着でき、経時的な緩みも有効に防止できるという効果が得られる。
また、従来の欠点を排除し、テンションメンバやインドアケーブル若しくはエアブロンケーブルなどを経時的な緩みを生じることなく止着でき、また、止着作業も容易に行うことができ各ケーブルの併用で取扱い容易な光ケーブル接続用収納ケースを提供することができる。
【図面の簡単な説明】
【図１】  本発明の一の実施の形態に係る光ケーブル接続用収納ケースの一態様を示す蓋ケースを外したもので、（ａ）はその正面図、（ｂ）は側面図、（ｃ）は平面図である。
【図２】  図１の例の光ケーブル接続用収納ケースに用いられるケーブル把持具を示し、（ａ）はその正面図、（ｂ）は平面図、（ｃ）は側面図、（ｄ）は使用状態の斜視図である。
【図３】  図１の例の使用状態の斜視図である。
【図４】  図１の例を用いた分離状態の正面図である。
【図５】  心線収納部の一部の拡大説明図で、（ａ）は正面図、（ｂ）はＡ−Ａ線における縦断面図である。
【図６】  心線収納部の拡大図で、（ａ）は一部切断側面図、（ｂ）は背面図、（ｃ）は一部切断底面図である。
【図７】  図３の例の一部の詳細斜視図である。
【図８】  テンションメンバ保持部の詳細を示し、（ａ）は図４のＢ−Ｂ線における拡大縦断面図、（ｂ）はその正面図である。
【図９】  同光ケーブル接続用収納ケースに用いる止着部材を示し、（ａ）はその側面図、（ｂ）はその正面図である。
【図１０】  本発明の他の実施例の心線収納部を示し、（ａ）はその正面図、（ｂ）は一部切断側面図、（ｃ）は一部切断平面図である。
【図１１】  図１０の例の使用分離状態の斜視図である。
【図１２】  図１０の例の一使用状態の斜視図である。
【図１３】  本発明の使用状態を示す光ケーブルの配索態様の模式図である。
【符号の説明】
Ｃ          分岐光ケーブル
Ｅ          引込光ケーブル
１          光ケーブル接続用収納ケース
７          差込孔
８          中間部
９          把持レバー
１０        固定ケース
１１，１２  配索孔
１３        保持部
１４        止着部材
１５        配索溝
１６        止着孔
１７        ケーブル把持具
１８        ガイド溝
１９        差込スリット
２０        係止部
２１        爪部
２２        当接凸部
３０        心線収納部
３１        心線巻回部
３２        コネクタ収納部
３３        心線押え片
３４，３５  嵌合係止部
３６        単心ＭＴコネクタ収納部
３８        エアブロンパイプ
４０        仕切壁
４１，４２  コネクタ突出用孔
５０        蓋ケース
【図１】
0003730321.tif 000002
【図２】
0003730321.tif 000003
【図３】
0003730321.tif 000004
【図４】
0003730321.tif 000005
【図５】
0003730321.tif 000006
【図６】
0003730321.tif 000007
【図７】
0003730321.tif 000008
【図８】
0003730321.tif 000009
【図９】
0003730321.tif 000010
【図１０】
0003730321.tif 000011
【図１１】
0003730321.tif 000012
【図１２】
0003730321.tif 000013
【図１３】
0003730321.tif 000014